(57)【要約】      （修正有）【課題】安全で実用性の高い保温靴を提供する。【解決手段】保温靴は、靴本体、電池４、制御メインボード５、発熱体３及び端末装置を含む。靴本体は、電池４及び制御メインボード５を収容するためのかかと１、及び発熱体３が設けられた靴底前足部２を有し、制御メインボード５は、電池４及び発熱体３にそれぞれ配線接続され、電池４は、制御メインボード５を介して発熱体３の動作のために電気エネルギーを供給し、制御メインボード５にはブルートゥースモジュールが設けられ、両足の制御メインボード５は端末装置にブルートゥースにより接続され、端末装置は制御メインボード５により発熱体３の動作を制御する。端末装置は、無線充電によって蓄電池を充電する。上記により、端末装置を介して靴底内の発熱体の発熱を制御することができ、操作が簡便である。【選択図】図３
0003220259.tif 000002
【実用新案登録請求の範囲】
【請求項１】
保温靴であって、靴本体、電池、制御メインボード、発熱体、及び端末装置を含み、前記靴本体は、前記電池及び制御メインボードを収容するための靴底根部、及び前記発熱体が設けられた靴底前部を有し、前記制御メインボードは、前記電池及び発熱体にそれぞれ配線接続され、電池は、制御メインボードを介して発熱体の動作のために電気エネルギーを供給し、前記制御メインボードにはブルートゥースモジュールが設けられ、制御メインボードは前記端末装置にブルートゥースにより接続され、端末装置は制御メインボードにより発熱体の動作を制御する、ことを特徴とする保温靴。
【請求項２】
前記ブルートゥースモジュールにおけるブルートゥースアンテナは、前記靴底根部の外周に隣接して設けられる、ことを特徴とする請求項１に記載の保温靴。
【請求項３】
前記制御メインボードには、温度センサ、歩数計、及びＧＰＳロケータの少なくともいずれかが設けられる、ことを特徴とする請求項１または２に記載の保温靴。
【請求項４】
前記靴本体はハイヒールであり、前記靴底根部はハイヒールのかかとに対応し、前記靴底前部はハイヒールの靴底前足部に対応する、ことを特徴とする請求項１乃至３のいずれか一項に記載の保温靴。
【請求項５】
前記電池は蓄電池であり、蓄電池の底部には無線充電レシーバーが設けられ、無線充電レシーバーは前記制御メインボードに接続される、ことを特徴とする請求項１乃至４のいずれか一項に記載の保温靴。
【請求項６】
前記発熱体は発熱シート又は電熱線である、ことを特徴とする請求項１乃至５のいずれか一項に記載の保温靴。
【請求項７】
前記端末装置は携帯電話又はリモコンである、ことを特徴とする請求項１乃至６のいずれか一項に記載の保温靴。
【考案の詳細な説明】
【技術分野】
【０００１】
本考案は靴の分野に関し、特に保温靴に関する。
【背景技術】
【０００２】
現在、市販されている保温靴は、靴底部に発熱抵抗体が設けられ、抵抗体に通電して発熱を生じさせることによって、靴内の温度を上昇させる。しかしながら、この構造の保温靴は、安全性が非常に低く、エネルギー放出時間が短い。
その理由は、電熱線などの発熱体が中敷に直接取り付けられるため、大容量の電池を収納することができず、歩行時に中敷が曲がり、靴本体の抵抗線が破損し易くなるためである。電熱線の温度が高すぎると、ユーザの足がやけどし、ひいては火災の原因となる。同時に外部有線電源が必要となり、充電インターフェースに安全上問題があり、安全性と実用性が低くなる。
【考案の概要】
【考案が解決しようとする課題】
【０００３】
本考案の主な解決しようとする技術的課題は、端末装置により靴底内の発熱体の発熱を制御することができ、歩行時に靴を曲げることで生ずる疲労により靴底内の発熱体を壊すのを防ぐことができる保温靴を提供することである。
【課題を解決するための手段】
【０００４】
上述の課題を解決するために、本考案の解決手段は、靴本体、電池、制御メインボード、発熱体及び端末装置を含む保温靴を提供することである。前記靴本体は、前記電池及び制御メインボードを収容するための靴底根部、及び前記発熱体が設けられた靴底前部を有し、前記制御メインボードは、前記電池及び発熱体にそれぞれ配線接続され、電池は、制御メインボードを介して発熱体の動作のために電気エネルギーを供給し、前記制御メインボードにはブルートゥース(登録商標)モジュールが設けられ、制御メインボードは前記端末装置にブルートゥースにより接続され、端末装置は制御メインボードにより発熱体の動作を制御する。
【０００５】
好ましくは、前記ブルートゥースモジュールにおけるブルートゥースアンテナは、前記靴底根部の外周に隣接して設ける。
【０００６】
好ましくは、前記制御メインボードには、温度センサ、歩数計、及びＧＰＳロケータの少なくともいずれかを設ける。
【０００７】
好ましくは、前記靴本体はハイヒールであり、前記靴底根部はハイヒールのかかとに対応し、前記靴底前部はハイヒールの靴底前足部に対応する。
【０００８】
好ましくは、前記電池は蓄電池であり、蓄電池の底部には無線充電レシーバーが設けられ、無線充電レシーバーは前記制御メインボードに接続される。
【０００９】
好ましくは、前記発熱体は発熱シート又は電熱線である。
【００１０】
好ましくは、前記端末装置は携帯電話又はリモコンである。
【００１１】
本考案の有益な効果は以下のとおりである。本考案は、端末装置を介して両足の靴底内の発熱体の発熱を制御することができ、操作が簡便であり、歩行時に靴を曲げる疲労により靴底内の発熱体を壊すのを防ぐことができる。また、無線充電、運動歩数算出及び軌跡位置特定も可能であり、ユーザの一日の運動パラメータや移動軌跡を検出することができ、モニタ結果が正確であり、リアルタイムの位置を知るために、位置を正確に特定することができる。構造が簡単であり、着用には影響しない。
【図面の簡単な説明】
【００１２】
【図１】本考案に係る保温靴の内部回路の接続フレームの模式図である。
【図２】本考案に係る保温靴の好ましい実施例の外部構造の模式図である。
【図３】本考案に係る、靴紐を取り外した後の保温靴の断面構造模式図である。
【考案を実施するための形態】
【００１３】
以下、添付の図面を参照して、本考案の好ましい実施例について詳細に説明することにより、本考案の利点及び特徴が当業者にとってより容易に理解することができ、本考案の保護範囲はより明確になる。
【００１４】
図１〜図３を参照すると、本考案の実施例は以下の内容を含む。
【００１５】
保温靴は、ハイヒール、電池４、制御メインボード５、発熱体３及び端末装置を含む。前記ハイヒールは、前記電池４及び制御メインボード５を収容するためのかかと１、及び前記発熱体３が設けられた靴底前足部２を有する。ハイヒールは、高さを増やすことに加えて、より重要な要因として魅力を増すことができる。ハイヒールにより女性の歩幅が短縮し、重心が後退するので、脚がまっすぐになり、臀部が収縮して胸が張られることによって、女性の立ち姿や歩行姿勢が優美になり、嫋やかで雅趣が生まれるため、職場の女性や洒落っ気のある女性はハイヒールを着用する。しかしながら、冬になると、ハイヒールは女性が愛憎相半ばするものになる。その理由は、ハイヒールを着用しなければならない場合があり、この場合、ハイヒールを着用すると、足が非常な寒さに凍え、しばしば麻痺して無感覚になる。従って、ハイヒールに対する保温設計が必要になるが、ハイヒールの元の外観を破壊するわけにはいかない。一日の消費電力をサポートする電池４が必要になるが、現在の技術では、一定の体積を有することが必要であるので、電池４はかかと１の内部に配置され、ハイヒールの全体的な外観から、普通のハイヒールと変わらない。一般に、冷える足は前足の血行不良により引き起こされるので、前足が寒くない場合、足は冷えない。そのため、発熱体３をハイヒールの靴底前足部２に設けることによって、冬に足が冷える問題を効果的に解決することができる。歩行時に靴を曲げることで生ずる疲労により靴底内の発熱体３を壊すのを防ぐことができる。前記制御メインボード５は、前記電池４及び発熱体３にそれぞれ配線接続され、電池４は、制御メインボード５を介して発熱体３の動作のために電気エネルギーを供給する。前記制御メインボード５にはブルートゥースモジュールが設けられる。制御メインボード５は、ブルートゥースにより前記端末装置と通信する。端末装置は、制御メインボード５との相互の命令により、発熱体３の動作を制御し端末の動作パラメータを監視する。前記発熱体３は発熱シート又は電熱線である。前記ブルートゥースモジュールにおけるブルートゥースアンテナは、前記靴底根部の外周に隣接して設ける。障害物を低減することによって、信号強度を増加させ、信号伝達を容易にすることができる。前記制御メインボード５には、温度センサ、歩数計、及びＧＰＳロケータを設ける。温度センサ、歩数計及びＧＰＳロケータはいずれもブルートゥース通信を介して前記端末装置に接続される。温度センサは、足底の温度を容易に知ることができる。歩数計は、ユーザが一日で歩く歩数を検出することができ、検出結果は正確である。ＧＰＳロケータは、リアルタイムの位置を知るために、位置を正確に特定することができる。端末装置は、ブルートゥース接続を介して、歩数計及びＧＰＳロケータによって検出されたデータ情報を照会して受信することができる。前記電池４は蓄電池であり、蓄電池の底部には無線充電レシーバー６が設けられ、無線充電レシーバー６は前記制御メインボードに接続される。蓄電池はリサイクル可能であり、環境に優しく低コストである。蓄電池が無線で充電され、かかと１に充電インターフェースを設ける必要がないので、雨の日でも水溜まりがある路面でも、充電インターフェースからヒール１の内部に水が侵入して内部回路装置が損傷することを心配する必要がなく、充電インターフェースで蓄積した土埃の掃除が難しいということを心配する必要もない。かかと１に蓄電池の出し入れ用開口を設ける必要がないので、かかと１の内部の回路装置は密閉環境にあることが保証され、回路装置が外部環境の影響を受けることが防止され、回路装置の寿命が延長される。前記端末装置は携帯電話又はリモコンである。
【００１６】
本考案は、端末装置を介して靴底内の発熱体３の発熱を制御することができ、操作が簡便であり、歩行時に靴を曲げることで生ずる疲労により靴底内の発熱体３を壊すことを防ぐことができる。また、ユーザの一日の運動パラメータや移動軌跡を検出することができ、モニタ結果が正確である。リアルタイムの位置を知るために、位置を正確に特定することができる。構造が簡単であり、着用には影響しない。
【００１７】
以上の説明は本考案に係る実施例にすぎず、本考案の保護範囲を制限するものではない。本考案の明細書及び添付図面によって作成したすべての同等構造又は同等フローの変更を、直接又は間接的に他の関連する技術分野に実施することは、いずれも同じ理由により本考案の保護範囲内に含まれるべきである。
【符号の説明】
【００１８】
１ かかと
２ 靴底前足部
３ 発熱体
４ 電池
５ 制御メインボード
６ 無線充電レシーバー
【図１】
0003220259.tif 000003
【図２】
0003220259.tif 000004
【図３】
0003220259.tif 000005